(57)【要約】  本発明は、レーダターゲットエミュレータ（２０）を備えるテストスタンド（１０）において、さらなる信号処理を行うためにレーダ信号（Ｓ）を変換するための装置（１）および方法と、このような装置（１）を備えるテストスタンド（１０）とに関する。ディバイダ構成体（２）は好ましくはディバイダ装置（４）を有し、当該ディバイダ装置は、前記レーダ信号の周波数および帯域幅を前記さらなる信号処理のために第一の係数で減少させるために構成されている。マルチプライヤ構成体（３）は好ましくはマルチプライヤ装置（４‘）を有し、当該マルチプライヤ装置は、前記レーダ信号の周波数および帯域幅を、前記さらなる信号処理の後に、前記第一の係数で増大させるために構成されている。
2020536250.tif 000002
【特許請求の範囲】
【請求項１】
レーダターゲットエミュレータ（２０）を備えるテストスタンド（１０）において、さらなる信号処理を行うためにレーダ信号（Ｓ）を変換するための装置（１）であって、
前記レーダ信号（Ｓ）の周波数および帯域幅をさらなる信号処理のために第一の係数で減少させるために構成されているディバイダ装置（４）を備えるディバイダ構成体（２）と、
前記レーダ信号（Ｓ）の周波数および帯域幅を、前記さらなる信号処理の後に、前記第一の係数で増大させるために構成されているマルチプライヤ装置（４‘）を備えるマルチプライヤ構成体（３）と、を有する装置。
【請求項２】
前記ディバイダ装置（４）は、少なくとも一つの特に再生式の周波数ディバイダを有する、請求項１に記載の装置（１）。
【請求項３】
前記ディバイダ構成体（２）はさらに、前記レーダ信号（Ｓ）の周波数を、さらなる信号処理のために第二の係数で減少させるために構成されているディバイダモジュール（５）を有し、
前記マルチプライヤ構成体（３）はさらに、前記レーダ信号（Ｓ）の周波数を、前記さらなる信号処理の後に前記第二の係数で増大させるために構成されているマルチプライヤモジュール（５‘）を有する、請求項１または２に記載の装置（１）。
【請求項４】
ディバイダモジュール（５）および／またはマルチプライヤモジュール（５‘）は、変換周波数を備える変換信号（Ｋ）を生じさせるためのオシレータ構成要素（５ｂ）と、前記変換信号（Ｋ）を前記ディバイダモジュール（５）もしくはマルチプライヤモジュール（５‘）に供給された前記レーダ信号（Ｓ）と混合するためのミキサー構成要素（５ａ）とを有する請求項１から３のいずれか一項に記載の装置（１）。
【請求項５】
前記第一の係数は、１から１０の範囲内にあり、好ましくは１．５から６の範囲内にあり、特に２から４の範囲内にある請求項１から４のいずれか一項に記載の装置（１）。
【請求項６】
レーダ信号（Ｓ）を処理するために構成されているテストスタンド（１０）であって、
請求項１から５のいずれか一項に記載の前記レーダ信号（Ｓ）を変換するための装置（１）と、
レーダターゲットエミュレータ（２０）であって、前記ディバイダ構成体（２）および前記マルチプライヤ構成体（３）と接続されており、前記ディバイダ構成体（２）により供給される前記レーダ信号（Ｓ）であって、当該レーダ信号の周波数および帯域幅が前記ディバイダ構成体（２）を用いて少なくとも前記第一の係数で減少させられているレーダ信号を処理するため、特にドップラーシフトを供給するため、時間的に遅延させるため、および／または変調させるために構成されており、それにより相応に処理された前記レーダ信号（Ｓ）は少なくとも一つのエミュレートされた対象物を特徴づける、レーダターゲットエミュレータと、を有するテストスタンド。
【請求項７】
前記レーダターゲットエミュレータ（２０）は、前記ディバイダ構成体（２）により供給される前記レーダ信号（Ｓ）であって、当該レーダ信号の周波数が１０ＧＨｚより小さく、好ましくは５ＧＨｚより小さく、特に２．５ＧＨｚより小さく、当該レーダ信号の帯域幅が４ＧＨｚより小さく、好ましくは２ＧＨｚより小さく、特に１ＧＨｚより小さいレーダ信号を処理するために構成されている、請求項６に記載のテストスタンド（１０）。
【請求項８】
レーダターゲットエミュレータ（２０）を備えるテストスタンド（１０）において、さらなる処理を行うためにレーダ信号（Ｓ）を変換するための方法であって、
前記レーダ信号（Ｓ）の周波数および帯域幅はさらなる信号処理のために第一の係数で減少させられ、
前記レーダ信号（Ｓ）の周波数および帯域幅は、前記さらなる信号処理の後に、前記第一の係数で増大させられる、方法。
【発明の詳細な説明】
【技術分野】
【０００１】
本発明は、レーダターゲットエミュレータを備えるテストスタンドにおいて、さらなる信号処理を行うためにレーダ信号を変換するための装置および方法と、そのような装置を備えるテストスタンドとに関する。
【背景技術】
【０００２】
特に地上に配備される車両、例えば乗用車、トラック、またはオートバイなどのモバイルシステムの複雑性は、近年増大し続けている。排気および／または燃料消費を低減すること、あるいは運転の快適さを増大させることと並んで、モバイルシステムの複雑化はまた、とりわけ、まさに大都市圏において常に増大する交通量を処理するために生じている。これを担うのは通常、運転者支援システムもしくは支援システムであり、当該支援システムは車両内センサを介して、および／または他の車両および／または定置箇所もしくは施設との通信を介して、車両環境に関する情報、特に予測されるルートの情報を、標準的運転状況および／または極端な状況において、指示の型式で運転者を支援するため、および／または車両挙動にアクティブに介入するために用いる。
【０００３】
多くの場合、少なくとも上記のセンサシステムの構成要素として、レーダセンサが用いられ、当該レーダセンサは障害物および／または先行車両などに関して車両の直接的な周囲を監視する。このような支援システムを評価するために、当該支援システムに対して、一つの特に仮想的なテストシナリオに関する情報を供給し、当該支援システムの反応を分析することが知られている。
【０００４】
高周波であるかもしれないレーダセンサのレーダ信号をテストシナリオに関して処理できるためには通常、より低い周波数領域への信号の周波数変換（ダウンコンバージョン）が必要であり、これは例えば局部発振器を用いて一つのミキサー段において信号を混合することにより実現される。
【０００５】
特許文献１は、レーダ環境シミュレータのレーダ送信器と、レーダターゲットディスプレイに結合されたレーダ受信器との間に配置するためのシステムに関する。当該システムは入力レーダ信号を分配するための電力分配器と、局部発振器と、二つのミキサーとを有し、当該ミキサーはそれぞれ、電力分配器の信号成分のパス内に設けられている。
【０００６】
特許文献２は、テスト信号を発生させるための装置に関し、二つの入力信号が受信され、レーダシステムに対して同期させられる。加速式のこぎり波発生器内で、典型的な８２８０サイクル毎秒を備える信号を処理する際、当該サイクルは加速式のこぎり波発生器の周波数ディバイダにより、係数２で割られる。当該信号はさらなる処理の際に制限され、周波数コンバータであって、信号の周波数を、典型的なレーダシステムの受信点における周波数領域に相当する周波数領域に置き換えることを課題とする周波数コンバータに供給される。
【０００７】
特許文献３は、レーダエコーシミュレータに関し、当該レーダエコーシミュレータは、車両内に備えられた衝突予防レーダのレーダ信号に対して、いわゆる「ダウンコンバージョンモジュール」を用いて、ミリメータ波からセンチメータ波への二段式の周波数変換を実施し、それによりレーダ信号は信号処理装置により分析され、その際パラメータ入力に応じて、アナログ式エコー信号を生じさせることができる。
【先行技術文献】
【特許文献】
【０００８】
【特許文献１】米国特許第８２４８２９７号明細書
【特許文献２】米国特許第３９０３５２１号明細書
【特許文献３】中国特許出願公開第１０５５１０９８０号明細書
【発明の概要】
【発明が解決しようとする課題】
【０００９】
本発明は、レーダターゲットエミュレータを改善すること、特に広帯域のレーダ信号を実質的に品質損失がないか、あるいは少なくとも低減された状態で、レーダターゲットエミュレータ内で処理するために圧縮することを課題とする。
【課題を解決するための手段】
【００１０】
上記の課題は本発明により、独立請求項に記載の装置および方法と、このような装置を備えるテストスタンドとによって解決される。
【００１１】
本発明の一つの態様は、特にレーダターゲットエミュレータを備えるテストスタンドにおいて、さらなる信号処理を行うためにレーダ信号を変換するための装置に関し、当該装置はディバイダ構成体とマルチプライヤ構成体とを有する。ディバイダ構成体は好ましくはディバイダ装置を有し、当該ディバイダ装置は、レーダ信号の周波数および帯域幅をさらなる信号処理のために第一の係数で減少させるために構成されている。マルチプライヤ構成体は好ましくはマルチプライヤ装置を有し、当該マルチプライヤ装置は、前記レーダ信号の周波数および帯域幅を、特にレーダターゲットエミュレータによる前記さらなる信号処理の後に、前記第一の係数で増大させるために構成されている。
【００１２】
これは特に有利であるが、それはディバイダ装置がレーダ信号を、位相ノイズによってレーダ信号の信号品質を劣化させるおそれがある局部発振器の信号成分との混合を行うことなく、さらなる信号処理のために、特にレーダターゲットエミュレータ内で処理するために、変換することができるからである。同様にこれは特に有利であるが、それはマルチプライヤ装置がレーダ信号を、前記さらなる信号処理の後に、特にレーダターゲットエミュレータ内での処理の後に、局部発振器の信号成分との混合を行うことなく、特にレーダセンサに伝送するために変換することができるからである。
【００１３】
このときディバイダ構成体内部もしくはマルチプライヤ構成体内部で、好ましくは周波数も帯域幅も実質的に同時に、すなわちレーダ信号において実施される単独の信号処理の過程で、第一の係数で減少もしくは増大させられる。このときディバイダ構成体内でディバイダ装置により、レーダ信号の帯域幅を減少させることは、レーダ信号もしくは当該レーダ信号の信号スペクトルの圧縮を行わせ、当該圧縮によりレーダ信号は、情報を失うことなく圧縮され得る。その結果、例えば４ＧＨｚの大きな帯域幅を備えるレーダ信号は、比較的小さな帯域幅を備えるレーダターゲットエミュレータによっても、特にデジタル式に処理されるように、圧縮することができる。
【００１４】
ディバイダ装置を用いて周波数と、特に帯域幅とを減少させること、および同様にマルチプライヤ装置を用いて周波数と、特に帯域幅とを増大させることは、本発明によれば好ましくは実質的にアナログ式に、あるいは少なくとも部分的にアナログ式に実施される。ディバイダ装置および／またはマルチプライヤ装置はこの目的のために有利には、それぞれアナログ回路を有するか、あるいはアナログ回路によって形成される。これにより信号はデジタル処理により、例えば離散サンプリングにより生じさせられるアーチファクト、あるいは少なくとも情報損失が生じることなく、圧縮もしくは解凍することができる。
【００１５】
本発明は全体として、レーダターゲットエミュレーションを改善させ、特に広帯域のレーダ信号を実質的に品質損失なしに、あるいは少なくとも品質損失が低減された状態で、レーダターゲットエミュレータ内で処理するために圧縮させる。
【００１６】
従来技術から知られている装置で、レーダ信号の周波数および帯域幅を、特にさらなる信号処理のために同じように、第一の係数で減少させるためのディバイダ装置を備えるディバイダ構成体を開示するものはない。さらにまた、従来技術から知られている装置で、マルチプライヤ構成体内にマルチプライヤ装置を備え、当該マルチプライヤ装置は、特にレーダターゲットエミュレータ内でさらなる処理がなされたレーダ信号であって、当該レーダ信号の周波数および帯域幅が以前に第一の係数で減少させられているレーダ信号を、特に同じように再び第一の係数で増大させることを開示するものはない。
【００１７】
本発明による「テストスタンド」とは特に一つの構成体であって、当該構成体により、レーダセンサから送信されたレーダ信号が受信可能であるとともに修正可能であり、それにより修正されたレーダ信号はテストシナリオに関する情報、すなわち特にエミュレートされた対象物の位置および距離に関する情報を得、場合によりこのように修正された状態で再びレーダセンサに供給することができる構成体である。テストシナリオに関する情報は例えば、修正されたレーダ信号の振幅および／または位相に含まれている。したがってテストスタンドは例えば、車両の運転者支援システムをテストするために用いることができ、運転者支援システムに接続されている車両のレーダセンサによりレーダ信号がテストスタンドに供給され、修正され、修正されたレーダ信号として、レーダセンサに戻される。
【００１８】
本発明による「ディバイダ構成体」とは特に、少なくとも一つのアナログ式および／またはデジタル式に実施された信号処理構成要素、特にディバイダ装置の構成体である。当該少なくとも一つの信号処理構成要素を用いて、特にレーダセンサの動作周波数領域内の入力周波数と、入力帯域幅とを備えてディバイダ構成体に供給される入力信号は、動作周波数と動作帯域幅とを備える動作信号に変換することができ、特にレーダターゲットエミュレータに出力することができる。このとき動作周波数は入力周波数に対して一つの係数で減少させられており、動作帯域幅は入力帯域幅に対して、同一または一つの他の係数で減少させられている。
【００１９】
本発明による「マルチプライヤ構成体」は特に、少なくとも一つのアナログ式および／またはデジタル式に実施された信号処理構成要素、特にマルチプライヤ装置の構成体である。当該少なくとも一つの信号処理構成要素を用いて、マルチプライヤ構成体に供給される動作信号であって、特にレーダターゲットエミュレータにより修正され、場合により修正された動作周波数と、場合により修正された動作帯域幅とを備える動作信号は、出力周波数と出力帯域幅とを備える出力信号に変換することができ、特にレーダセンサに伝送することができる。このとき出力周波数は、場合により修正された動作周波数に対して一つの係数で増大させられており、出力帯域幅は、場合により修正された動作帯域幅に対して、同一または一つの他の係数で増大させられている。
【００２０】
本発明による「ディバイダ装置」とは特に、当該ディバイダ装置に供給されるレーダ信号において、周波数空間内で、特に逆たたみ込みされた二つの同一のレーダ信号への逆たたみ込み（デコンボルーション）を実施するために構成されている。これは数学的には、時間領域内でレーダ信号の根を求めること、特に二乗根を求めることに相当する。このとき好ましくは、レーダ信号の周波数はより小さな周波数へと移行し、レーダ信号の帯域幅は減少する。
【００２１】
本発明による「マルチプライヤ装置」とは特に、当該マルチプライヤ装置に供給されるレーダ信号において、周波数空間内で、特に自身とのたたみ込みを実施するために構成されている。これは数学的には、時間領域内でレーダ信号を乗算すること、特にレーダ信号を二乗することに相当する。したがってマルチプライヤ装置は「乗算器」とも称される。このとき好ましくは、レーダ信号の周波数はより高い周波数へと移行し、レーダ信号の帯域幅は増大する。
【００２２】
一つの好適な実施の形態においてディバイダ装置は、少なくとも一つの特に再生式の周波数ディバイダを有し、当該周波数ディバイダは好ましくは電子的な、少なくとも部分的にアナログ式の回路として実施され、さらに好ましくは当該周波数ディバイダに供給されているレーダ信号の周波数を、特に第一の係数に相当する所定の、好ましくは整数の、または有理数の分割比率で分割するために構成されている。特に再生式の周波数ディバイダは場合により、ミラー周波数ディバイダとも称され、好適なやり方で、周波数ディバイダに供給されている入力信号を、ミキサー構成要素を用いて、場合により増幅されたミキサー構成要素のフィードバック信号と混合するために構成されている。
【００２３】
このとき周波数ディバイダによって分割されたレーダ信号の帯域幅は、周波数と同様に好ましくは所定の、好ましくは整数の、または有理数の分割比率で分割され、当該分割比率は特に、第一の係数に相当する。
【００２４】
このとき周波数ディバイダに供給されているレーダ信号の周波数と帯域幅の分割は、好ましくは周波数空間内で実施され、それは時間もしくは信号空間内で根数を求めることに相当する。
【００２５】
一つのさらなる好適な実施の形態においてディバイダ構成体はさらに、ディバイダモジュールを有し、当該ディバイダモジュールはレーダ信号、特にディバイダ構成体に供給されている入力信号、または少なくとも一つのディバイダ装置により出力されるレーダ信号の周波数を、さらなる信号処理のために、特に少なくとも一つのディバイダ装置に、もしくはレーダターゲットエミュレータに供給するために、第二の係数で減少させるために構成されている。このときマルチプライヤ構成体は好ましくは、マルチプライヤモジュールを有し、当該マルチプライヤモジュールはレーダ信号の周波数を、特にレーダターゲットエミュレータにより出力され、場合により修正された動作信号のさらなる信号処理の後に、特に少なくとも一つのマルチプライヤ装置に供給するために、あるいはレーダセンサに伝送するために、第二の係数で増大させるために構成されている。
【００２６】
これによりレーダ信号、特にディバイダ構成体に供給されている入力信号の周波数は、一つの領域内に、特に一つの所定の周波数限界値の下まで移動させることができ、当該領域内で少なくとも一つのディバイダ装置はレーダ信号を処理すること、特に当該レーダ信号の周波数および帯域幅を分割することができる。このときレーダ信号の周波数は好ましくは、２５ＧＨｚより小さく、好適に１５ＧＨｚより小さく、特に１０ＧＨｚより小さく低減される。
【００２７】
これによりさらに、レーダ信号、好ましくは少なくとも一つのマルチプライヤ装置により処理され、場合により修正された動作信号の周波数は、元々ディバイダ構成体に供給された入力信号の周波数に適合させることができ、それによりレーダセンサに対して、マルチプライヤ構成体の出力信号は実質的にレーダセンサの動作周波数領域内で伝送することができる。
【００２８】
本発明による信号処理構成要素、例えばレーダセンサ、ターゲットエミュレータ、ディバイダ装置および／またはマルチプライヤ装置の「動作周波数領域」とは特に、周波数領域であって、当該周波数領域内で信号処理構成要素が、当該信号処理構成要素に供給されている信号もしくは当該信号処理構成要素により受信される信号を確実かつ正確に、特にエラーおよび／またはアーチファクトなしに処理できる周波数領域である。言い換えれば信号処理構成要素の動作周波数領域は周波数領域であって、当該周波数領域内で信号処理構成要素が動作するために設けられている周波数領域である。
【００２９】
本発明による信号処理構成要素、例えばレーダセンサ、レーダターゲットエミュレータ、ディバイダ装置および／またはマルチプライヤ装置の「帯域幅動作領域」とは特に、帯域幅領域であって、当該帯域幅領域内で信号処理構成要素が、当該信号処理構成要素に供給されている信号もしくは当該信号処理構成要素により受信される信号を確実かつ正確に、特にエラーおよび／またはアーチファクトなしに処理できる帯域幅領域である。言い換えれば信号処理構成要素の帯域幅動作領域は帯域幅領域であって、当該帯域幅領域内で信号処理構成要素が動作するために設けられている帯域幅領域である。
【００３０】
一つのさらなる好適な実施の形態においてディバイダモジュールおよび／またはマルチプライヤモジュールは、変換周波数を備える変換信号を生じさせるためのオシレータ構成要素と、変換信号をディバイダモジュールもしくはマルチプライヤモジュールに供給されたレーダ信号と混合するためのミキサー構成要素とを有する。変換信号をレーダ信号と混合することにより、レーダ信号、特にディバイダ構成体に供給される入力信号および／または少なくとも一つのマルチプライヤ装置により処理され、場合により修正された動作信号の周波数を、確実かつ正確に、特にディバイダ装置もしくはレーダセンサの動作周波数領域に適合可能に、第二の係数で減少もしくは増大させることが可能となる。
【００３１】
一つのさらなる好適な実施の形態において第一の係数は、１から１０の範囲内にあり、好ましくは１．５から６の範囲内にあり、特に２から４の範囲内にある。これにより、６０ＧＨｚを上回る動作周波数領域と、１０ＭＨｚと２０ＧＨｚの間、好ましくは１００ＭＨｚと１０ＧＨｚの間、特に２５０ＭＨｚと５ＧＨｚの間にある帯域幅動作領域とを有するレーダセンサにより送信されたレーダ信号であって、好ましくは入力信号として相応の周波数および帯域幅でディバイダ構成体に供給されるレーダ信号は、確実に当該レーダ信号に対して低減された周波数もしくは帯域幅を備える動作信号としてレーダターゲットエミュレータによって処理することができ、もしくは続いてレーダセンサに対して、当該レーダセンサの動作周波数領域内の周波数で、かつ当該レーダセンサの帯域幅動作領域内の帯域幅で伝送することができる。
【００３２】
本発明の第二の態様は、レーダ信号を処理するためのテストスタンドに関し、当該テストスタンドは、本発明の第一の態様によるレーダ信号を変換するための装置と、レーダターゲットエミュレータとを有し、当該レーダターゲットエミュレータは、ディバイダ構成体およびマルチプライヤ構成体と接続されており、すなわち信号伝送式に結合されており、ディバイダ構成体により供給されるレーダ信号であって、当該レーダ信号の周波数および帯域幅がディバイダ構成体を用いて少なくとも第一の係数で減少させられているレーダ信号を処理するため、特にドップラーシフトを供給するため、時間的に遅延させるため、および／または変調させるために構成されており、それにより相応に処理されたレーダ信号は少なくとも一つのエミュレートされた対象物を特徴づける。
【００３３】
これは特に有利であるが、それは本発明に係るレーダ信号を変換するための装置と、下流に接続されたレーダターゲットエミュレータとからなる組み合わせにより、レーダ信号がレーダターゲットエミュレータにより正確かつ確実に処理されるからであり、当該レーダ信号は空間的および時間的に高解像度を有するレーダセンサにより、例えば６０ＧＨｚを上回る高い周波数で、かつ例えば２５０ＭＨｚを上回る大きな帯域幅で送信されるものであり、しかもこのように高い周波数およびこのように大きな帯域幅は従来のレーダターゲットエミュレータによっては処理できないか、あるいは不十分にしか処理できない。したがって上記の組み合わせからなるテストスタンドは、従来のレーダターゲットエミュレータであって、技術的に単純に設計され、好適な電子構成要素が取り付けられているレーダターゲットエミュレータを、特殊および／または特に高性能な、特に通常でない周波数および／または帯域幅領域内で動作するレーダセンサと組み合わせて用いることを可能にする。言い換えれば本発明に係るテストスタンドは、ディバイダ構成体およびマルチプライヤ構成体、もしくはそれらに含まれる信号処理構成要素、特にディバイダ装置およびマルチプライヤ装置、および／またはディバイダモジュールおよびマルチプライヤモジュールをわずかに適合させればすでに、異なる動作周波数領域および／または帯域幅動作領域を備え、異なる車両内で用いられる異なるレーダシステムに適合させることができる。
【００３４】
一つのさらなる好適な実施の形態においてレーダターゲットエミュレータは、ディバイダ構成体により供給されるレーダ信号であって、当該レーダ信号の周波数が１０ＧＨｚより小さく、好ましくは５ＧＨｚより小さく、特に２．５ＧＨｚより小さく、当該レーダ信号の帯域幅が４ＧＨｚより小さく、好ましくは２ＧＨｚより小さく、特に１ＧＨｚより小さいレーダ信号を処理するために構成されている。言い換えればレーダターゲットエミュレータは好ましくは、１０ＧＨｚより小さい動作周波数領域と、２ＧＨｚより小さい動作帯域幅領域とを有する。これによりレーダ信号、特に動作信号の処理を確実に実施することができる。
【００３５】
本発明の第三の態様は、レーダターゲットエミュレータを備えるテストスタンドにおいて、さらなる処理を行うためにレーダ信号を変換するための方法に関し、レーダ信号の周波数および帯域幅はさらなる信号処理のために第一の係数で減少させられ、レーダ信号の周波数および帯域幅は、前記さらなる信号処理の後に、前記第一の係数で増大させられる。
【００３６】
本発明の第一の態様と、当該第一の態様の有利な構成に関して説明された特徴および有利点は、本発明の第二の態様および第三の態様と、それらの有利な構成にも当てはまり、その逆も成り立つ。
【００３７】
図に表示されている限定的でない実施の形態に基づき、以下において本発明をより詳しく説明する。図において少なくとも部分的に概略的に示すのは以下のとおりである。
【図面の簡単な説明】
【００３８】
【図１】本発明の一つの好適な実施の形態によるレーダ信号を変換するための装置の回路図を示す。
【図２】本発明の一つの好適な実施の形態によるテストスタンドの回路図を示す。
【発明を実施するための形態】
【００３９】
図１には、本発明の一つの好適な実施の形態において、特にレーダターゲットエミュレータを備えるテストスタンドにおいて、さらなる信号処理を行うためにレーダ信号を変換するための装置１の回路図が表示されている。装置１はディバイダ構成体２とマルチプライヤ構成体３とを有し、当該ディバイダ構成体およびマルチプライヤ構成体において好ましくはそれぞれ、複数の信号処理構成要素４，４‘，５，５‘が信号の流れ方向において前後に設けられるとともに互いに接続され、すなわち信号伝送式に互いに結合されている。このときディバイダ構成体２は好適なやり方で、ディバイダ構成体２に供給され、したがって入力信号Ｅとも称されるレーダ信号を受信し、入力信号Ｅの周波数および帯域幅に対して低減された周波数もしくは帯域幅を備えるレーダ信号、特に動作信号Ｗとして再び出力するために構成されている。このように出力された動作信号Ｗはその後、点線により暗示されているさらなる信号処理の後に、処理された、もしくは修正された動作信号Ｗ‘としてマルチプライヤ構成体３により受信され、修正された動作信号Ｗ‘の周波数および帯域幅に対して増大させられた周波数および帯域幅を備えるレーダ信号、特に出力信号Ａとして再び出力することができる。
【００４０】
このとき好ましくはディバイダ装置４がディバイダ構成体２内部に設けられており、当該ディバイダ装置は、ディバイダ装置４に供給されているレーダ信号、特に中間信号Ｚを動作信号Ｗに変換し、それにより動作信号Ｗの周波数および帯域幅は、ディバイダ装置４に供給されている中間信号Ｚの周波数もしくは帯域幅に対してそれぞれ、第一の係数で減少させられている。言い換えればディバイダ装置４は好適なやり方で、ディバイダ装置４に中間信号Ｚとして供給されているレーダ信号の帯域幅を圧縮するために構成されており、それによりディバイダ装置４により動作信号Ｗとして出力されるレーダ信号は、入力信号Ｅの帯域幅に対して第一の係数で減少させられた帯域幅を有する。
【００４１】
このときディバイダ装置４は、再生式の周波数ディバイダとして形成されていてよく、当該周波数ディバイダは、周波数ディバイダに供給されている中間信号Ｚをフィードバック信号Ｒと混合するためのミキサー構成要素４ａと、ミキサー構成要素４ａにより出力される混合された信号から一つまたは複数の周波数領域をフィルタ処理するためのフィルタ構成要素４ｂ、特にローパスフィルタと、フィルタ構成要素４ｂにより出力されるフィルタ処理された信号を増幅するための増幅構成要素４ｃとを有する。周波数ディバイダの動作中、ミキサー構成要素４ａにより出力される信号の一部は、特にフィルタ構成要素４ｂおよび増幅構成要素４ｃを通過した後、再びフィードバック信号Ｒとしてミキサー構成要素４ａに供給される。これにより周波数成分、特に整数の周波数フラクションに目標を定めて分離し、増幅することができ、それにより周波数ディバイダの動作中に周波数ディバイダにより出力される動作信号Ｗは、周波数ディバイダに供給されている中間信号Ｚに対して、第一の係数で減少させられた周波数と、第一の係数で減少させられた帯域幅とを有する。
【００４２】
ディバイダ装置４が上記の好適なやり方でアナログ回路として実施されている場合、中間信号Ｚの帯域幅を圧縮する際、情報損失は生じない。
【００４３】
ディバイダ装置４のフィルタ構成要素４ｂは通常、選択された周波数領域内でのみ確実に動作し、例えば当該フィルタ構成要素に供給される信号の、所定の周波数閾値を上回る、例えば１０ＧＨｚを上回る全ての周波数成分をフィルタ処理するので、入力信号Ｅの周波数を、フィルタ構成要素４ｂの選択された周波数領域内にある周波数に変換することが必要になり得る。言い換えれば入力信号Ｅは場合により、ディバイダ装置４内で処理するために準備しなければならず、特に周波数が低減された中間信号Ｚに変換しなければならない。
【００４４】
この目的のために図に示す例では、ディバイダモジュール５がディバイダ構成体２内部に設けられており、当該ディバイダモジュールは入力信号Ｅの周波数を第二の係数で減少させるために構成されており、それにより結果として生じるディバイダモジュール５により出力されるレーダ信号であって、中間信号Ｚとも称されるレーダ信号の周波数はディバイダ装置４の動作周波数領域内にあり、すなわち中間信号Ｚはディバイダ装置４により、確実かつ正確に処理することができる。
【００４５】
ディバイダモジュール５は好ましくは、ディバイダモジュール５に供給されている入力信号Ｅを変換信号Ｋと混合するためのミキサー構成要素５ａと、変換信号Ｋを生じさせるためのオシレータ構成要素５ｂとを有する。ディバイダモジュール５は場合により、フィルタ構成要素および増幅構成要素（図示せず）を有してもよく、当該フィルタ構成要素および増幅構成要素を介して、ミキサー構成要素５ａにより出力される混合された信号を後処理することができ、それにより特に、中間信号Ｚの周波数は入力信号Ｅの周波数に対して第二の係数で減少させられている。入力信号Ｅを変換信号Ｋと混合する際、入力信号Ｅの周波数のみが影響を受け、入力信号の帯域幅は影響を受けない。
【００４６】
したがって全体としてディバイダ構成体２内部で、入力信号Ｅとして供給されるレーダ信号の周波数は、第一の係数と第二の係数との乗算から生じる一つの係数で減少させることができる。このように実施される周波数変化は、「周波数変換」と称することもできる。
【００４７】
このときディバイダ構成体２内部で実施される帯域幅変化であって、レーダ信号の帯域幅が第二の係数で減少させられる帯域幅変化は、「帯域幅圧縮」と称することもできる。
【００４８】
マルチプライヤ構成体３は構成においてディバイダ構成体２に似ている。特にマルチプライヤ構成体３は、それぞれがディバイダ構成体２の信号処理構成要素４，５に対応するが反対の動作を行う信号処理構成要素４‘，５‘を有してよい。ディバイダ装置４の代わりにマルチプライヤ構成体３は例えばマルチプライヤ装置４‘を有してよく、当該マルチプライヤ装置は好ましくは、当該マルチプライヤ装置４‘に供給されている修正された動作信号Ｗ‘をさらなる中間信号Ｚ‘に変換するために構成されており、当該さらなる中間信号の周波数および帯域幅は、修正された動作信号Ｗ‘の周波数および帯域幅に対して第一の係数で増大されている。加えてマルチプライヤ構成体３はディバイダ構成要素５の代わりに、好ましくはマルチプライヤ構成要素５‘を有し、当該マルチプライヤ構成要素は好適なやり方で、当該マルチプライヤ構成要素５‘に供給されているさらなる中間信号Ｚ‘を出力信号Ａに変換するために構成されており、当該出力信号の周波数は、さらなる中間信号Ｚ‘の周波数に対して第二の係数で増大されている。
【００４９】
マルチプライヤ装置４‘はこのために好ましくは、乗算器、特にアナログ式乗算器として形成されている。
【００５０】
ディバイダ構成要素５に対応してマルチプライヤ構成要素５‘は好適なやり方で、さらなる中間信号Ｚ‘を変換信号Ｋと混合するためのミキサー構成要素５ａを有し、当該変換信号はディバイダ構成要素５のオシレータ構成要素５ｂにより生じさせられる。しかしながらさらなる中間信号Ｚ‘を変換信号Ｋと混合する際、さらなる中間信号Ｚ‘の周波数は、第二の係数で増大されて出力信号Ａの周波数になる。
【００５１】
ディバイダ構成体２およびマルチプライヤ構成体３内の信号処理構成要素４，４‘，５，５‘は好ましくは、出力信号Ａの周波数および帯域幅が、実質的に入力信号Ｅの周波数および帯域幅と一致するように互いに調整されている。特にマルチプライヤ構成体３、特にマルチプライヤ装置４‘およびマルチプライヤモジュール５‘は、ディバイダ構成体２内部で入力信号Ｅとして供給されるレーダ信号において実施される周波数変化と、供給されるレーダ信号において実施される帯域幅変化とを、例えばレーダターゲットエミュレータにおけるさらなる信号処理の後に、特に動作信号Ｗ‘として供給される、処理もしくは修正されたレーダ信号において実質的に再び元に戻す、もしくは補償するために構成されていてよい。
【００５２】
図に示す例では、それぞれ一つのディバイダ装置４、一つのマルチプライヤ装置４‘、一つのディバイダモジュール５、および一つのマルチプライヤモジュール５‘が示されるとともに説明されているが、複数のこれらの信号処理構成要素４，４‘，５，５‘をディバイダ構成体２もしくはマルチプライヤ構成体３内に設けることは基本的に可能である。これは例えば、個々のディバイダモジュール５が、入力信号Ｅの周波数をディバイダ装置４によって処理するための中間信号Ｚの周波数に減少させるために十分でない場合、および／または個々のディバイダ装置４が入力信号Ｅの帯域幅を、例えばレーダターゲットエミュレータによるさらなる信号処理を行うための動作信号Ｗの帯域幅に減少させるために十分でない場合は、特に有利である。複数の信号処理構成要素４，４‘，５，５‘を組み合わせることにより、装置１の機能性は、レーダターゲットエミュレータもしくは個々の信号処理構成要素４，４‘，５，５‘の要求に適合させることができる。
【００５３】
このときレーダ信号がどのような順序で信号処理構成要素４，４‘，５，５‘によって処理されるかは、信号処理構成要素４，４‘，５，５‘に供給されている信号の周波数および／または帯域幅が、対応する構成要素の周波数もしくは帯域幅動作領域内にある限りは、問題にならない。
【００５４】
特に有利には、一つまたは複数のディバイダモジュール５と、一つまたは複数のマルチプライヤモジュール５の形成を、それぞれのミキサー構成要素５ａが、当該ミキサー構成要素に供給されているレーダ信号を、一つまたは複数の共通のオシレータ構成要素５ｂの変換信号Ｋと混合するように行うことも可能である。これにより特に、それぞれのディバイダモジュール５であって、当該ディバイダモジュール内で、供給されているレーダ信号の周波数が、オシレータ構成要素５ｂにより供給される変換信号Ｋに基づいて、一つの特に第二の係数で減少させられているそれぞれのディバイダモジュールに対して、マルチプライヤモジュール５が設けられていてよく、当該マルチプライヤモジュール内で、供給されているレーダ信号の周波数は、同一のオシレータ構成要素５ｂにより供給される同一の変換信号Ｋに基づいて、同一の、特に第二の係数で増大させられる。言い換えれば少なくとも一つのディバイダモジュール５と、少なくとも一つのマルチプライヤモジュール５‘とは、オシレータ構成要素５ｂを共有するために構成されていてよい。これによりマルチプライヤ構成体３内で処理されたレーダ信号の周波数は確実に、当該周波数が以前にディバイダ構成体２内で処理されたレーダ信号において低減されたのと同じ程度で増大させることができる。
【００５５】
図２は本発明の一つの好適な実施の形態による、レーダターゲットエミュレータ２０内でさらなる信号処理を行うためにレーダ信号Ｓを変換するための装置１を備えるテストスタンド１０の回路図を示す。テストスタンド１０は、例えば車両内に取り付けられたレーダセンサＲＳから送信されるレーダ信号Ｓを受信するための受信装置ＲＸと、処理されたレーダ信号Ｓ‘をレーダセンサＲＳに戻すように送信するための送信装置ＴＸとを有する。このときレーダセンサＲＳは動作周波数領域と、帯域幅動作領域とを有し、レーダセンサはこれらの領域内でレーダ信号Ｓ，Ｓ‘を送信もしくは受信することができる。
【００５６】
レーダターゲットエミュレータ２０は好ましくは、テストシナリオをエミュレートする、すなわち一つまたは複数のレーダターゲット、特に交通状況をエミュレートするために構成されており、レーダターゲットエミュレータに供給されている動作信号Ｗを処理し、特にドップラーシフトを供給し、時間的に遅延させ、および／または変調させ、それにより処理されてレーダターゲットエミュレータ２０により出力される動作信号Ｗ‘であって、修正された動作信号と称されることもある動作信号は、エミュレートされたテストシナリオに関する情報を含む。このときレーダターゲットエミュレータ２０は、レーダセンサＲＳの動作周波数領域および帯域幅動作領域と異なる動作周波数領域内もしくは帯域幅動作領域内で動作し、それにより受信装置ＲＸにより受信されるレーダ信号Ｓを動作信号Ｗに変換することが必要である。
【００５７】
この目的のために、受信装置ＲＸとレーダターゲットエミュレータ２０に対して装置１が介装されており、ディバイダ構成体２を有し、当該ディバイダ構成体を用いて、入力信号Ｅとしてディバイダ構成体２に供給されたレーダ信号Ｓを、動作信号Ｗに変換することができる。図１との関連で説明されたように、このとき周波数変換と帯域幅圧縮が実施され、当該周波数変換と帯域幅圧縮において入力信号Ｅの周波数は、第一の係数と第二の係数との乗算から生じる一つの係数で減少させられ、もしくは入力信号Ｅの帯域幅は第一の係数で減少させられる。
【００５８】
レーダターゲットエミュレータ２０により処理され、出力される動作信号Ｗ‘を再びレーダセンサＲＳに伝送できるためにはこれに応じて、処理され、出力された動作信号Ｗ‘を出力信号Ａへと逆変換することが必要である。レーダターゲットエミュレータ２０と送信装置ＴＸに対して介装されている装置１のマルチプライヤ構成体３を用いて、処理され、出力された動作信号Ｗ‘の、周波数変換と帯域幅圧縮の過程において低減された周波数および帯域幅は、再び増大させることができ、それにより動作信号Ｗ‘の周波数および帯域幅は実質的に、元々レーダセンサＲＳから送信されたレーダ信号Ｓの周波数もしくは帯域幅に相当する。その後、出力信号Ａは送信装置ＴＸにより、処理されたレーダ信号Ｓ‘としてレーダセンサＲＳに戻すように送信することができ、当該レーダ信号に含まれるエミュレートされたテストシナリオに関する情報は、例えば運転者支援システムもしくはレーダセンサＲＳを有する車両の車両機能により、当該運転者支援システムもしくは車両機能をテストするために用いることができる。
【符号の説明】
【００５９】
１  レーダ信号を変換するための装置
２  ディバイダ構成体
３  マルチプライヤ構成体
４  ディバイダ装置
４ａ  ミキサー構成要素
４ｂ  フィルタ構成要素
４ｃ  増幅構成要素
４‘  マルチプライヤ装置
５  ディバイダモジュール
５ａ  ミキサー構成要素
５ｂ  オシレータ構成要素
５‘  マルチプライヤモジュール
１０  テストスタンド
２０  レーダターゲットエミュレータ
Ｅ  入力信号
Ａ  出力信号
Ｚ  中間信号
Ｚ‘  さらなる中間信号
Ｗ  動作信号
Ｗ‘  処理された動作信号
Ｓ  レーダ信号
Ｓ‘  処理されたレーダ信号
Ｋ  変換信号
ＲＳ  レーダセンサ
ＲＸ  受信ユニット
ＴＸ  送信ユニット
【図１】
2020536250.tif 000003
【図２】
2020536250.tif 000004
【国際調査報告】
2020536250.tif 000005
2020536250.tif 000006
2020536250.tif 000007
2020536250.tif 000008
2020536250.tif 000009
2020536250.tif 000010